(57)【要約】【課題】暖房循環回路内の水の凍結を防止する凍結防止運転を実行する際に、無駄なエネルギーが消費されることを抑制した温水暖房装置を提供する。【解決手段】暖房循環回路内の湯水を加熱する加熱手段と、暖房循環回路内に湯水を循環させる暖房ポンプと、外気温センサと、外気温センサの検出温度Ｔaが基準温度以下であるときに、前記加熱手段と前記暖房ポンプとを加熱時間ｔon作動させる第１の工程と、該第１の工程の終了時点から休止時間ｔoffが経過するまで前記加熱手段と前記暖房ポンプとを停止状態とする第２の工程とからなる処理を繰り返す凍結防止運転を実行する凍結防止制御手段と、前記暖房循環回路内の湯水の温度Ｔwを検出する水温センサとを備え、前記凍結防止制御手段は、前記第１の工程の開始時点における水温センサの検出温度Ｔwに応じて、該検出温度が低いほど前記加熱時間を長い時間に設定する。【選択図】  図３
2006336938.tif 000002
【特許請求の範囲】
【請求項１】
暖房端末と接続される暖房循環回路と、該暖房循環回路内の湯水を加熱する加熱手段と、該暖房循環回路内に湯水を循環させる暖房ポンプと、外気温を検出する外気温センサと、
該外気温センサの検出温度が前記暖房循環回路内の水の凍結温度以上に設定された基準温度以下であるときに、前記加熱手段と前記暖房ポンプとを第１の所定時間作動させる第１の工程と、該第１の工程の終了時点から第２の所定時間が経過するまで前記加熱手段と前記暖房ポンプとを停止状態とする第２の工程とからなる処理を繰り返す凍結防止運転を実行する凍結防止制御手段とを備えた温水暖房装置において、
前記暖房循環回路内の湯水の温度を検出する水温センサを備え、
前記凍結防止制御手段は、前記第１の工程の開始時点における前記水温センサの検出温度に応じて、該検出温度が低いほど前記第１の所定時間を長い時間に設定することを特徴とする温水暖房装置。
【請求項２】
前記加熱手段の加熱量を変更する加熱量変更手段と、前記第１の工程において、前記暖房循環回路を介して暖房端末に供給される温水の温度が目標供給温度となるように、前記加熱量変更手段を介して前記加熱手段の加熱量を制御する加熱量制御手段とを備え、
前記凍結防止制御手段は、前記第１の工程の開始時点における前記水温センサの検出温度に応じて、該検出温度が低いほど該第１の工程における前記目標供給温度を高く設定することを特徴とする請求項１記載の温水暖房装置。
【請求項３】
暖房端末と接続される暖房循環回路と、該暖房循環回路内の湯水を加熱する加熱手段と、該暖房循環回路内に湯水を循環させる暖房ポンプと、外気温を検出する外気温センサと、
該外気温センサの検出温度が前記暖房循環回路内の水の凍結温度以上に設定された基準温度以下であるときに、前記加熱手段と前記暖房ポンプとを第１の所定時間作動させる第１の工程と、該第１の工程の終了時点から第２の所定時間が経過するまで前記加熱手段と前記暖房ポンプとを停止状態とする第２の工程とからなる処理を繰り返す凍結防止運転を実行する凍結防止制御手段とを備えた温水暖房装置において、
前記暖房循環回路内の湯水の温度を検出する水温センサと、前記加熱手段の加熱量を変更する加熱量変更手段と、前記第１の工程において、前記暖房循環回路を介して暖房端末に供給される温水の温度が目標供給温度となるように前記加熱量変更手段を介して前記加熱手段の加熱量を制御する加熱量制御手段とを備え、
前記凍結防止制御手段は、前記第１の工程の開始時点における前記外気温センサ又は前記水温センサの検出温度に応じて、該検出温度が低いほど該第１の工程における前記目標供給温度を高く設定することを特徴とする温水暖房装置。
【請求項４】
前記凍結防止制御手段は、前記加熱手段の作動を停止して前記暖房ポンプを所定時間作動させた後に、前記水温センサにより前記暖房循環回路内の湯水の温度を検出することを特徴とする請求項１から請求項３のうちいずれか１項記載の温水暖房装置。
【請求項５】
暖房端末と接続される暖房循環回路と、該暖房循環回路内の湯水を加熱する加熱手段と、該暖房循環回路内に湯水を循環させる暖房ポンプと、
外気温を検出する外気温センサと、
該外気温センサの検出温度が前記暖房循環回路内の水の凍結温度以上に設定された基準温度以下であるときに、前記加熱手段と前記暖房ポンプとを第１の所定時間作動させる第１の工程と、該第１の工程の終了時点から第２の所定時間が経過するまで前記加熱手段と前記暖房ポンプとを停止状態とする第２の工程とからなる処理を繰り返し実行する凍結防止運転を実行する凍結防止制御手段とを備えた温水暖房装置において、
前記凍結防止制御手段は、前記第１の工程の開始時点における前記外気温センサの検出温度に応じて、該検出温度が低いほど前記第１の所定時間を長い時間に設定することを特徴とする温水暖房装置。
【請求項６】
前記加熱手段の加熱量を変更する加熱量変更手段と、前記第１の工程において、前記暖房循環回路を介して暖房端末に供給される温水の温度が目標供給温度となるように、前記加熱量変更手段を介して前記加熱手段の加熱量を制御する加熱量制御手段とを備え、
前記凍結防止制御手段は、前記第１の工程の開始時点における前記外気温センサの検出温度に応じて、該検出温度が低いほど該第１の工程における前記目標供給温度を高く設定することを特徴とする請求項５記載の温水暖房装置。
【発明の詳細な説明】
【技術分野】
【０００１】
本発明は、暖房循環回路を介して暖房端末に温水を供給する温水暖房装置に関する。
【背景技術】
【０００２】
従来より、暖房循環回路を介して暖房端末に温水を供給する温水暖房装置において、暖房循環回路内の水の凍結を防止するため、外気温センサにより検出した外気温が予め設定された基準温度以下となったときに、所定の休止時間が経過する毎に暖房循環回路内の湯水を加熱しながら循環させる凍結防止動作を行なうようにしたものが知られている。
【０００３】
そして、前記凍結防止動作が必要以上に繰り返される不都合を回避するために、外気温が低下するに従って前記休止時間を短く設定するようにし、また、水温センサにより検出される循環水の温度が低下するに従って前記休止時間を短く設定するようにした温水暖房装置が提案されている（例えば、特許文献１参照）。
【０００４】
かかる温水暖房装置によれば、外気温の変化、及び循環水の温度の変化に応じて前記休止時間を変更することにより、外気温が基準温度よりも高くなるまで一定の休止時間で凍結防止動作が繰り返されて、無駄なエネルギーが消費されることを抑制することができる。しかし、凍結防止動作に伴うエネルギー消費のさらなる低減に対する要望がある。
【特許文献１】特開平９−２６４５４７号公報
【発明の開示】
【発明が解決しようとする課題】
【０００５】
本発明は上記背景を鑑みてなされたものであり、暖房循環回路内の水の凍結を防止する凍結防止運転を実行する際に無駄なエネルギーが消費されることを抑制した温水暖房装置を提供することを目的とする。
【課題を解決するための手段】
【０００６】
本発明は上記目的を達成するためになされたものであり、暖房端末と接続される暖房循環回路と、該暖房循環回路内の湯水を加熱する加熱手段と、該暖房循環回路内に湯水を循環させる暖房ポンプと、外気温を検出する外気温センサと、該外気温センサの検出温度が前記暖房循環回路内の水の凍結温度以上に設定された基準温度以下であるときに、前記加熱手段と前記暖房ポンプとを第１の所定時間作動させる第１の工程と、該第１の工程の終了時点から第２の所定時間が経過するまで前記加熱手段と前記暖房ポンプとを停止状態とする第２の工程とからなる処理を繰り返す凍結防止運転を実行する凍結防止制御手段とを備えた温水暖房装置の改良に関する。
【０００７】
そして、本発明の第１の態様は、前記暖房循環回路内の湯水の温度を検出する水温センサを備え、前記凍結防止制御手段は、前記第１の工程の開始時点における前記水温センサの検出温度に応じて、該検出温度が低いほど前記第１の所定時間を長い時間に設定することを特徴とする。
【０００８】
かかる本発明においては、前記第１の工程の開始時点における前記水温センサの検出温度が低いほど、前記暖房循環回路内の水が凍結し易くなる。そこで、前記凍結防止手段は、前記第１の工程の開始時点における前記水温センサの検出温度に応じて、該検出温度が低いほど前記第１の所定時間を長い時間に設定する。これにより、前記加熱手段及び前記暖房ポンプが不必要に長く作動して無駄なエネルギーが消費されることを抑制することができる。さらに、前記暖房循環回路内の水温が低いほど前記第１の所定時間が長い時間に設定されて、前記暖房循環回路内の水が速やかに昇温されるため、前記第１の工程における前記暖房循環回路内の水の昇温の遅れにより前記暖房循環回路内の水が凍結することを防止することができる。
【０００９】
また、前記第１の態様において、前記加熱手段の加熱量を変更する加熱量変更手段と、前記第１の工程において、前記暖房循環回路を介して暖房端末に供給される温水の温度が目標供給温度となるように、前記加熱量変更手段を介して前記加熱手段の加熱量を制御する加熱量制御手段とを備え、前記凍結防止制御手段は、前記第１の工程の開始時点における前記水温センサの検出温度に応じて、該検出温度が低いほど該第１の工程における前記目標供給温度を高く設定することを特徴とする。
【００１０】
かかる本発明によれば、前記凍結防止制御手段は、前記第１の工程の開始時点における前記水温センサの検出温度に応じて、該検出温度が低いほど該第１の工程における前記目標供給温度を高く設定する。これにより、前記第１の工程における前記加熱手段の加熱量が、前記加熱量制御手段によって、前記暖房循環回路内の湯水の温度に応じてきめ細かく増減されることになるため、前記加熱手段により無駄なエネルギーが消費されることを一層抑制することができる。
【００１１】
また、本発明の第２の態様は、前記暖房循環回路内の湯水の温度を検出する水温センサと、前記加熱手段の加熱量を変更する加熱量変更手段と、前記第１の工程において、前記暖房循環回路を介して暖房端末に供給される温水の温度が目標供給温度となるように前記加熱量変更手段を介して前記加熱手段の加熱量を制御する加熱量制御手段とを備え、前記凍結防止制御手段は、前記第１の工程の開始時点における前記外気温センサ又は前記水温センサの検出温度に応じて、該検出温度が低いほど該第１の工程における前記目標供給温度を高く設定することを特徴とする。
【００１２】
かかる本発明によれば、前記水温センサにより検出される前記暖房循環回路内の湯水の温度が低いほど、前記暖房循環回路内の水の凍結が生じ易い。また、前記外気温センサにより検出される外気温が低いほど、前記暖房循環回路内の水の凍結が生じ易い。そこで、前記凍結防止制御手段は、前記第１の工程の開始時点における前記水温センサ又は前記外気温センサの検出温度に応じて、該検出温度が低いほど該第１の工程における前記目標供給温度を高く設定する。これにより、前記加熱量制御手段によって、前記第１の工程における前記加熱手段の加熱量が、前記暖房循環回路内の湯水の温度に応じて増減されるため、前記加熱手段により無駄なエネルギーが消費されることを抑制することができる。さらに、外気温や前記暖房循環回路内の水温が低いほど前記目標供給温度が高い温度に設定されて、前記暖房循環回路内の水が速やかに昇温されるため、前記第１の工程における前記暖房循環回路内の水の昇温の遅れにより前記暖房循環回路内の水が凍結することを防止することができる。
【００１３】
また、前記第１の態様又は前記第２の態様において、前記凍結防止制御手段は、前記加熱手段の作動を停止させて前記暖房ポンプのみを所定時間作動させた後に、前記水温センサにより前記暖房循環回路内の湯水の温度を検出することを特徴とする。
【００１４】
かかる本発明によれば、前記加熱手段の作動を停止させて前記暖房ポンプのみを所定時間作動させることで、前記暖房循環回路内の湯水の温度を均一化させた上で、前記水温センサにより前記暖房循環回路内の湯水の温度を検出することができる。
【００１５】
また、本発明の第３の態様は、前記凍結防止制御手段は、前記第１の工程の開始時点における前記外気温センサの検出温度に応じて、該検出温度が低いほど前記第１の所定時間を長い時間に設定することを特徴とする。
【００１６】
かかる本発明によれば、前記外気温センサにより検出される外気温が低いほど、前記暖房循環回路内の水の凍結が生じ易くなる。そこで、前記凍結防止制御手段により、前記第１の工程の開始時点における前記外気温センサの検出温度に応じて、該検出温度が低いほど前記第１の所定時間を長い時間に設定することによって、前記加熱手段及び前記暖房ポンプが不必要に長く作動して無駄なエネルギーが消費されることを抑制することができる。さらに、外気温が低いほど前記第１の所定時間が長い時間に設定されて、前記暖房循環回路内の水が速やかに昇温されるため、前記第１の工程における前記暖房循環回路内の水の昇温の遅れにより前記暖房循環回路内の水が凍結することを防止することができる。
【００１７】
また、前記第３の態様において、前記加熱手段の加熱量を変更する加熱量変更手段と、前記暖房循環回路を介して暖房端末に供給される温水の温度が目標供給温度となるように、前記加熱量変更手段により前記加熱手段の加熱量を制御する加熱量制御手段とを備え、前記凍結防止制御手段は、前記第１の工程の開始時点における前記外気温センサの検出温度に応じて、該検出温度が低いほど該第１の工程における前記目標供給温度を高く設定することを特徴とする。
【００１８】
かかる本発明によれば、前記凍結防止制御手段は、前記第１の工程の開始時点における前記外気温センサの検出温度に応じて、該検出温度が低いほど該第１の工程における前記目標供給温度を高く設定する。これにより、前記第１の工程における前記加熱手段の加熱量が、前記加熱量制御手段によって、前記暖房循環回路内の湯水の温度に応じてきめ細かく増減されるため、前記加熱手段により無駄なエネルギーが消費されることを一層抑制することができる。
【発明を実施するための最良の形態】
【００１９】
本発明を実施するための最良の形態について、図１〜図４を参照して説明する。図１は本発明の温水暖房装置の機能を含む複合熱源機の全体構成図、図２は図１に示したコントローラによる凍結防止運転のフローチャート、図３は凍結防止運転における暖房ポンプとバーナの作動時間と休止時間を設定するためのデータテーブルの説明図、図４は凍結防止運転における暖房ポンプとバーナの作動タイミングを示したタイミングチャートである。
【００２０】
図１を参照して、本実施の形態の複合熱源機は、単一の缶体１内に、給湯用の第１燃焼部２−１と暖房及び追焚き用の第２燃焼部２−２とが仕切り壁１ａを隔てて並設された１缶式の複合熱源機であり、マイクロコンピュータ等により構成されたコントローラ７によって全体の作動が制御される。
【００２１】
第１燃焼部２−１は、給湯用の第１熱交換器３−１とこれを加熱する第１バーナ４−１とを有し、第２燃焼部２−２は、暖房用の第２熱交換器３−２とこれを加熱する第２バーナ４−２とを有する。第１燃焼部２−１と第２燃焼部２−２には共通の燃焼ファン５から燃焼用空気が供給される。
【００２２】
第１バーナ４−１の燃焼排気は第１熱交換器３−１に導かれ、第１熱交換器３−１で熱交換した後に、第１熱交換器３−１及び第２熱交換器３−２の上側の排気フード６に流れて、排気フード６に形成された排気口６ａから外部に排出される。同様に、第２バーナ４−２の燃焼排気は第２熱交換器３−２に導かれ、第２熱交換器３−２で熱交換器した後に、排気フード６に流れて排気口６ａから外部に排出される。なお、第１バーナ４−１及び第２バーナ４−２の燃焼量に対応した量の燃焼用空気が供給されるように、コントローラ７により燃焼ファン５の回転数が制御される。
【００２３】
第１熱交換器３−１には、上流側の給水路８ａと下流側の出湯路８ｂとが接続されている。給水路８ａには、流量センサ８１とコントローラ７により制御される流量調節弁８２とが設けられ、さらに、流量調節弁８２の下流側で給水路８ａと出湯路８ｂとを連通するバイパス通路８ｃが設けられ、バイパス通路８ｃにコントローラ７により制御されるバイパス流量調節弁８３が介設されている。また、出湯路８ｂには、上流側の湯温センサ８４と、バイパス通路８ｃとの合流箇所の下流側の湯温センサ８５とが設けられている。
【００２４】
流量センサ８１と湯温センサ８４，８５の検出信号はコントローラ７に入力される。そして、コントローラ７は、出湯路８ｂの下流端のカラン８６が開栓されて第１熱交換器３−１への通水が開始され、流量センサ８１の検出流量が所定の下限流量以上となったときに、燃焼ファン５を駆動すると共に、第１バーナ４−１に点火して「給湯運転」を実行する。「給湯運転」に際して、コントローラ７は、湯温センサ８４により検出される給湯側出湯温度が所定の高温設定温度になるように、第１バーナ４−１の燃焼量を制御すると共に、第１バーナ４−１の燃焼量が最大となっても湯温センサ８４の検出温度が高温設定温度に達しないときは流量調節弁８２により第１熱交換器３−１への通水量を減少させる。
【００２５】
そして、コントローラ７は、湯温センサ８５の検出温度がリモコン７ａで設定された給湯温度になるように、バイパス流量調節弁８３によりバイパス通路８ｃの流水量（バイパスミキシング量）を制御する。
【００２６】
第２熱交換器３−２は、暖房循環回路９を介して要求湯温が比較的高い高温暖房端末である湯水式の温風暖房機１０に接続されている。なお、図１では、１台の温風暖房機１０が示されているが、暖房循環回路９に複数の温風暖房機１０を並列接続することも可能である。暖房循環回路９は、第２熱交換器３−２で加熱された湯水を温風暖房機１０に送出する暖房往き通路９ａと、温風暖房機１０内を流通した湯水を第２熱交換器３−２に戻す暖房戻り通路９ｂとにより構成されている。
【００２７】
暖房戻り通路９ｂには、シスターン９１と、コントローラ７により制御される暖房ポンプ９２とが介設されている。そして、温風暖房機１０の運転スイッチ（図示しない）がＯＮ操作されたときに、コントローラ７は、温風暖房機１０の通水弁１０ａを開弁すると共に、暖房ポンプ９２を駆動して、温風暖房機１０と第２熱交換器３−２との間で暖房循環回路９を介して湯水を循環させる「暖房運転」を実行する。
【００２８】
また、本実施の形態では、要求湯温が比較的低い低温暖房端末である床暖房パネル３０，３１，３２が備えられており、暖房ポンプ９２の下流側の暖房戻り通路９ｂの部分から床暖房パネル３０，３１，３２に至る低温暖房往き通路３０ｂ，３１ｂ，３２ｂがそれぞれ分岐している。床暖房パネル３０，３１，３２内を流通した湯水は温風暖房機１０内を流通した湯水と合流してシスターン９１に戻る。
【００２９】
さらに、暖房循環回路９にはバイパス通路９ｄが設けられている。床暖房パネル３０の運転スイッチ（図示しない）がＯＮ操作されると、床暖房パネル３０の通水弁３０ａが開弁され、コントローラ７は、暖房ポンプ９２を駆動して「暖房運転」を実行する。これにより、バイパス通路９ｄを経由して第２熱交換器３−２に湯水が循環されると共に、暖房ポンプ９２から送出される湯水の一部が床暖房パネル３０に供給され、第２熱交換器３−２からの熱がシスターン９１を介して床暖房パネル３０に伝達される。
【００３０】
同様に、床暖房パネル３１の運転スイッチ（図示しない）がＯＮ操作されると、コントローラ７は、床暖房パネル３１の通水弁３１ａを開弁すると共に、暖房ポンプ９２を駆動して「暖房運転」を実行する。また、床暖房パネル３２の運転スイッチ（図示しない）がＯＮ操作されると、コントローラ７は、床暖房パネル３２の通水弁３２ａを開弁すると共に、暖房ポンプ９２を駆動して「暖房運転」を実行する。
【００３１】
暖房往き通路９ａの上流部には、第２熱交換器３−２から送出される湯水の温度を検出する水温センサ９３が設けられており、水温センサ９３の検出信号がコントローラ７に入力される。そして、コントローラ７は、温風暖房機１０や床暖房パネル３０，３１，３２の運転スイッチがＯＮ操作されて「暖房運転」を行なう際に、水温センサ９３で検出される暖房側出湯温度が温風暖房機１０や床暖房パネル３０，３１，３２の要求湯温となるように、第２バーナ４−２の燃焼量を制御する。
【００３２】
なお、温風暖房機１０の要求湯温は比較的高温（例えば８０℃）であり、床暖房パネル３０，３１，３２の要求湯温は比較的低温（例えば６０℃）である。また、第２バーナ４−２と第２熱交換器３−２とにより、本発明の加熱手段が構成される。
【００３３】
また、第２熱交換器３−２は、風呂の追焚きを行なう際の熱源としても機能する。浴槽１２に接続された風呂循環回路１３には、コントローラ７により制御される風呂ポンプ１３１と液々熱交換器１３２とが介設されている。また、暖房循環回路９には、暖房往き通路９ａから液々熱交換器１３２を経由してシスターン９１に至る追焚き通路９ｅが設けられ、追焚き通路９ｅにコントローラ７により制御される追焚き弁１３３が介設されている。
【００３４】
そして、リモコン７ａに備えられた追焚きスイッチ（図示しない）がＯＮ操作されると、コントローラ７は、風呂ポンプ１３１を駆動して風呂循環回路１３に浴槽１２の湯水を循環させると共に、追焚き弁１３３を開弁して暖房ポンプ９２を駆動し、第２バーナ４−２に点火して「追焚き運転」を実行する。「追焚き運転」においては、第２熱交換器３−２で加熱された湯水が液々熱交換器１３２を経由して暖房循環回路９を循環し、風呂循環回路１３を循環する浴槽１２の湯水が液々熱交換器１３２で加熱される。
【００３５】
風呂循環回路１３には、浴槽１２から送り出される湯水の温度を検出する湯温センサ１３４が設けられており、湯温センサ１３４の検出信号がコントローラ７に入力される。コントローラ７は、湯温センサ１３４の検出温度がリモコン７ａにより設定された追焚き温度まで上昇したときに「追焚き運転」を終了する。
【００３６】
また、風呂循環回路１３には、出湯路８ｂから分岐した湯張り注湯路１３５が逆止弁１３６を介して接続されている。湯張り注湯路１３５には、コントローラ７により制御される湯張り弁１３７が介設されており、リモコン７ａに備えられた湯張りスイッチ（図示しない）がＯＮ操作されたときに、コントローラ７は、湯張り弁１３７を開弁し、第１熱交換器３−１で加熱された湯水を湯張り注湯路１３５を経由して浴槽１２に供給する「湯張り運転」を実行する。
【００３７】
次に、第１バーナ４−１及び第２バーナ４−２に対する燃料ガスの供給について説明する。第１バーナ４−１と第２バーナ４−２に対する共通のガス供給路４０には、元弁４１と比例弁４２とが介設されている。そして、ガス供給路４０から第１バーナ４−１の能力切換弁４３Ｓ，４３Ｍ，４３Ｌを介して第１バーナ４−１に燃料ガスが供給され、また、ガス供給路４０から第２バーナ４−２の能力切換弁４４Ｓ，４４Ｌを介して第２バーナ４−２に燃料ガスが供給される。
【００３８】
コントローラ７は、能力切換弁４３Ｓ，４３Ｍ，４３Ｌの開閉の切換えと、比例弁４２の開度の変更により第１バーナ４−１の燃焼量を制御する。また、コントローラ７は、能力切換弁４４Ｓ，４４Ｌの開閉の切換えと、比例弁４２の開度の変更により第２バーナ４−２の燃焼量を制御する。なお、能力切換弁４４Ｓ，４４Ｌ、比例弁４２、及び燃焼ファン５により本発明の加熱量変更手段が構成される。
【００３９】
次に、コントローラ７は、暖房循環回路９内の湯水の凍結を防止するための「凍結防止運転」を実行する凍結防止制御手段７１と、「凍結防止運転」において第２バーナ４−２の燃焼量（本発明の加熱量に相当する）を制御する加熱量制御手段７０とを備えている。また、外気温を検出する外気温センサ５０が備えられ、外気温センサ５０の検出信号がコントローラ７に入力される。以下、図２に示したフローチャートに従って、「凍結防止運転」の実行手順について説明する。
【００４０】
なお、「凍結防止運転」は、床暖房パネル３０，３１，３２の通水弁３０ａ，３１ａ，３２ａを全て開弁した状態で行なってもよく、また、通水弁３０ａ，３１ａ，３２ａを１個ずつ開弁して順次行なうようにしてもよい。
【００４１】
凍結防止制御手段７１は、ＳＴＥＰ１で、外気温センサ５０により検出された外気温Ｔaが３℃以下であるか否かを判断する。そして、外気温Ｔaが３℃以下であるときはＳＴＥＰ２に進んで暖房ポンプ９２をＯＮ（作動開始）させ、ＳＴＥＰ３で４分タイマをスタートさせる。そして、続くＳＴＥＰ４で４分タイマがタイムアップするのを待ってＳＴＥＰ５に進み、凍結防止制御手段７１は、暖房ポンプ９２をＯＦＦ（作動停止）する。
【００４２】
このように、ＳＴＥＰ２〜ＳＴＥＰ５の処理を実行して、暖房ポンプ９２を４分間（本発明の所定時間に相当する）作動させることにより、暖房循環回路９内の湯水の温度が均一化される。そして、凍結防止制御手段７１は、続くＳＴＥＰ６で、このように暖房循環回路９内の湯水の温度が均一化された状態において、水温センサ９３により暖房循環回路９内の水温Ｔwを検出する。
【００４３】
次のＳＴＥＰ７で、凍結防止制御手段７１は、水温Ｔwに応じて、暖房ポンプ９２と第２バーナ４−２をＯＮさせる時間である加熱時間ｔon（本発明の第１の所定時間に相当する）と、第２熱交換器３−２から出湯される湯の目標温度である目標供給温度とを決定する。具体的には、凍結防止制御手段７１は、図３（ａ）に示したデータテーブル（コントローラ７に備えられたメモリに予め記憶されている）に水温Ｔwを適用して、対応する加熱時間ｔonと目標供給温度とを決定する。例えば、水温Ｔwが２０であるときは、加熱時間ｔonは４分となり、目標供給温度は６０℃となる。
【００４４】
凍結防止制御手段７１は、続くＳＴＥＰ８で暖房ポンプ９２をＯＮ（作動開始）し、ＳＴＥＰ９で第２バーナ４−２をＯＮ（燃焼開始）する。このとき、加熱制御手段７０は、水温センサ９３の検出温度が目標供給温度となるように、能力切換弁４４Ｌ，４４Ｓの開閉、比例弁４２の開度、及び燃焼ファン５の回転数を変更して、第２バーナ４−２の燃焼量を制御する。これにより、暖房循環回路９内の湯水が循環しながら加熱され、暖房循環回路９内の湯水の凍結が防止される。また、凍結防止制御手段７１は、ＳＴＥＰ１０で加熱時間ｔonをタイマ設定時間とするｔonタイマをスタートさせる。
【００４５】
次のＳＴＥＰ１１でｔonタイマがタイムアップしたときにＳＴＥＰ１２に進み、凍結防止制御手段７１は、第２バーナ４−２をＯＦＦ（燃焼停止）し、ＳＴＥＰ１３で暖房ポンプ９２をＯＦＦ（作動停止）する。なお、ＳＴＥＰ２〜ＳＴＥＰ１３の処理が本発明の第１の工程に相当する。
【００４６】
そして、凍結防止制御手段７１は、続くＳＴＥＰ１４で外気温センサ５０により外気温Ｔaを検出し、ＳＴＥＰ１５で、外気温Ｔaに応じて、次に第２バーナ４−２と暖房ポンプ９２をＯＮさせるまでの時間である休止時間ｔoff（本発明の第２の所定時間に相当する）を決定する。具体的には、凍結防止制御手段７１は、図３（ｂ）に示したデータテーブル（コントローラ７に備えられたメモリに予め記憶されている）に外気温Ｔaを適用して、対応する休止時間ｔoffを決定する。例えば、外気温Ｔaが３℃であるときは、休止時間ｔoffは６０分となる。
【００４７】
そして、凍結防止制御手段７１は、次のＳＴＥＰ１６で休止時間ｔoffをタイマ設定時間とするｔoffタイマをスタートさせ、ＳＴＥＰ１７でｔoffタイマがタイムアップしたときにＳＴＥＰ１に戻る。なお、ＳＴＥＰ１６〜ＳＴＥＰ１７の処理が本発明の第２の工程に相当する。
【００４８】
以上説明したように、ＳＴＥＰ１で外気温Ｔaが３℃以下であるときは、ＳＴＥＰ２〜ＳＴＥＰ１７の処理が実行されて暖房循環回路９内の湯水が加熱されるため、暖房循環回路９内の湯水の温度が低下して凍結することを防止することができる。
【００４９】
図４は、以上説明したＳＴＥＰ１〜ＳＴＥＰ１７の処理により「凍結防止運転」を実行したときの暖房ポンプ９２と第２バーナ４−２の作動状況を、横軸を時間ｔとして示したタイミングチャートであり、ｔ0及びｔ4で外気温Ｔwが３℃以下であった場合を示している。ｔ0〜ｔ1は図２のＳＴＥＰ２〜ＳＴＥＰ５に対応し、暖房ポンプ９２がＯＮして暖房循環回路９内の湯水が循環され、暖房循環回路９内の湯水の温度が均一化される。
【００５０】
ｔ1〜ｔ2は図２のＳＴＥＰ６〜ＳＴＥＰ７に対応し、暖房循環回路９内の水温Ｔwに応じて、加熱時間ｔonと目標供給温度が決定される。ｔ2〜ｔ3は図２のＳＴＥＰ８〜ＳＴＥＰ１３に対応し、暖房ポンプ９２と第２バーナ４−２が加熱時間ｔonが経過するまでＯＮ状態となって、暖房循環回路９内の湯水が加熱される。
【００５１】
ｔ3〜ｔ4は図２のＳＴＥＰ１４〜ＳＴＥＰ１７に対応し、外気温Ｔaに応じた休止時間ｔoffが決定され、暖房ポンプ９２と第２バーナ４−２が休止時間ｔoffが経過するまでＯＦＦ状態とされている。そして、再びｔ4〜ｔ5で暖房ポンプ９２がＯＮされ、ｔ6〜ｔ7で暖房ポンプ９２と第２バーナ４−２がＯＮされて、暖房循環回路９内の湯水が加熱されている。
【００５２】
なお、本実施の形態では、図２のＳＴＥＰ１５で休止時間ｔoffを決定したが、ＳＴＥＰ７で目標供給温度を決定する際に、併せて休止時間ｔoffも決定するようにしてもよい。
【００５３】
また、本実施の形態では、図３（ａ）に示したように、水温センサ９３により検出される暖房循環回路９内の水温Ｔwに応じて、加熱時間ｔonと目標供給温度を決定したが、目標供給温度を一定として、加熱時間ｔonのみを決定するようにしてもよい。或いは、加熱時間ｔonを一定として、目標供給温度のみを決定するようにしてもよい。
【００５４】
また、図３（ｃ）に示したように、水温Ｔwではなく、外気温センサ５０により検出される外気温Ｔaに応じて、加熱時間ｔonと目標供給温度を決定するようにしてもよい。この場合にも、目標供給温度を一定として、加熱時間ｔonのみを決定するようにしてもよい。或いは、加熱時間ｔonを一定として、目標供給温度のみを決定するようにしてもよい。
【図面の簡単な説明】
【００５５】
【図１】本発明の温水暖房装置の機能を含む複合熱源機の全体構成図。
【図２】図１に示したコントローラによる凍結防止運転のフローチャート。
【図３】凍結防止運転における暖房ポンプとバーナの作動時間と休止時間を設定するためのデータテーブルの説明図。
【図４】凍結防止運転における暖房ポンプとバーナの作動タイミングを示したタイミングチャート。
【符号の説明】
【００５６】
２−１…第１燃焼部、２−２…第２燃焼部、３−１…第１熱交換器、３−２第２熱交換器、４−１…第１バーナ、４−２…第２バーナ、７…コントローラ、９…暖房循環回路、９ｅ…追焚き通路、１０…温風暖房機、１３…風呂循環回路、３０，３１，３２…床暖房パネル、５０…外気温センサ、７０…加熱量制御手段、７１…凍結防止制御手段、９２…暖房ポンプ、９３…水温センサ
【図１】
2006336938.tif 000003
【図２】
2006336938.tif 000004
【図３】
2006336938.tif 000005
【図４】
2006336938.tif 000006